【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
プラントの運転状態を示す運転データと前記運転データの真正性を保証する保証値とを含むデータユニットを受信する受信部と、
前記保証値に基づいて、前記データユニットの真正性を検査する第一検査部と、
前記第一検査部の検査結果が真正性を否定する場合、前記データユニットの送信側に対して前記データユニットの再送信を要求する第一送信要求部と、
前記データユニットを使用した前記プラントの異常の予兆の診断処理の診断結果を取得する取得部と、
前記データユニットの送信側に対して、前記受信部における受信間隔が変更されるように前記データユニットを送信するよう要求する第三送信要求部と
を備え、
前記第三送信要求部は、前記取得部で取得した診断結果が異常の予兆があることを示す場合、前記データユニットの送信側に対して、前記受信部における受信間隔が変更されるように前記データユニットを送信するよう要求することを特徴とする収集装置。
【請求項２】
プラントの運転状態を示す運転データと前記運転データの真正性を保証する保証値とを含むデータユニットを受信する受信部と、
前記保証値に基づいて、前記データユニットの真正性を検査する第一検査部と、
前記第一検査部の検査結果が真正性を否定する場合、前記データユニットの送信側に対して前記データユニットの再送信を要求する第一送信要求部と、
前記データユニットを使用した前記プラントの異常の予兆の診断処理の診断結果を取得する取得部と、
含まれる前記運転データの項目を変更して前記データユニットを送信するよう要求する第四送信要求部と
を備え、
前記第四送信要求部は、前記取得部で取得した診断結果が異常の予兆があることを示す場合、前記データユニットの送信側に対して、含まれる前記運転データの項目を変更して前記データユニットを送信するよう要求することを特徴とする収集装置。
【請求項３】
前記運転データが所定範囲の値であるか否かに基づいて、前記運転データが正常であるか否かを検査する第二検査部と、
前記データユニットの送信側に対して所定の前記データユニットの送信を要求する第二送信要求部と
を備え、
前記第二送信要求部は、前記第二検査部で前記運転データが異常であると判定された場合、前記データユニットの送信側に対して、異常であると判定された前記運転データを含む前記データユニットと異なる時刻のデータユニットの送信を要求することを特徴とする請求項１または２に記載の収集装置。
【請求項４】
前記データユニットに含まれる前記運転データの値を補完する補完部
を備え、
前記第二検査部は、前記第二検査部で異常であると判定された前記運転データを含む前記データユニットについて、異常であると判定された前記運転データの値を補完することで、前記データユニットに基づいて前記プラントの異常の予兆の診断処理を実行することが可能か否かを判定し、
前記補完部は、前記第二検査部で診断処理を実行可能と判定した場合、異常であると判定された前記運転データの値を補完することを特徴とする請求項３に記載の収集装置。
【請求項５】
前記第三送信要求部は、前記取得部で取得した診断結果が異常の予兆があることを示す場合、前記データユニットの送信側に対して、前記受信部における受信間隔を短くして前記データユニットを送信するよう要求することを特徴とする請求項１に記載の収集装置。
【請求項６】
前記第三送信要求部は、前記取得部で取得した診断結果が異常の予兆があることを示す場合、前記データユニットの送信側に対して、前記受信部における受信間隔をずらして前記データユニットを送信するよう要求することを特徴とする請求項１に記載の収集装置。
【請求項７】
プラントの運転状態を示す運転データと前記運転データの真正性を保証する保証値とを含むデータユニットを受信する受信ステップと、
前記保証値に基づいて、前記データユニットの真正性を検査する検査ステップと、
前記検査ステップにおける検査結果が真正性を否定する場合、前記データユニットの送信側に対して前記データユニットの再送信を要求する送信要求ステップと、
前記データユニットを使用した前記プラントの異常の予兆の診断処理の診断結果を取得する取得ステップと、
前記データユニットの送信側に対して、前記受信ステップにおける受信間隔が変更されるように前記データユニットを送信するよう要求する第三送信要求ステップと
を含み、
前記第三送信要求ステップは、前記取得ステップにおいて取得した診断結果が異常の予兆があることを示す場合、前記データユニットの送信側に対して、前記受信ステップにおける受信間隔が変更されるように前記データユニットを送信するよう要求することを特徴とする収集方法。
【請求項８】
プラントの運転状態を示す運転データと前記運転データの真正性を保証する保証値とを含むデータユニットを受信する受信ステップと、
前記保証値に基づいて、前記データユニットの真正性を検査する検査ステップと、
前記検査ステップにおける検査結果が真正性を否定する場合、前記データユニットの送信側に対して前記データユニットの再送信を要求する送信要求ステップと、
前記データユニットを使用した前記プラントの異常の予兆の診断処理の診断結果を取得する取得ステップと、
含まれる前記運転データの項目を変更して前記データユニットを送信するよう要求する第四送信要求ステップと
を含み、
前記第四送信要求ステップは、前記取得ステップにおいて取得した診断結果が異常の予兆があることを示す場合、前記データユニットの送信側に対して、含まれる前記運転データの項目を変更して前記データユニットを送信するよう要求することを特徴とする収集方法。
【請求項９】
プラントの運転状態を示す運転データと前記運転データの真正性を保証する保証値とを含むデータユニットを受信する受信ステップと、
前記保証値に基づいて、前記データユニットの真正性を検査する検査ステップと、
前記検査ステップにおける検査結果が真正性を否定する場合、前記データユニットの送信側に対して前記データユニットの再送信を要求する送信要求ステップと、
前記データユニットを使用した前記プラントの異常の予兆の診断処理の診断結果を取得する取得ステップと、
前記データユニットの送信側に対して、前記受信ステップにおける受信間隔が変更されるように前記データユニットを送信するよう要求する第三送信要求ステップと
を含み、
前記第三送信要求ステップは、前記取得ステップにおいて取得した診断結果が異常の予兆があることを示す場合、前記データユニットの送信側に対して、前記受信ステップにおける受信間隔が変更されるように前記データユニットを送信するよう要求することをコンピューターに実行させることを特徴とする収集プログラム。
【請求項１０】
プラントの運転状態を示す運転データと前記運転データの真正性を保証する保証値とを含むデータユニットを受信する受信ステップと、
前記保証値に基づいて、前記データユニットの真正性を検査する検査ステップと、
前記検査ステップにおける検査結果が真正性を否定する場合、前記データユニットの送信側に対して前記データユニットの再送信を要求する送信要求ステップと、
前記データユニットを使用した前記プラントの異常の予兆の診断処理の診断結果を取得する取得ステップと、
含まれる前記運転データの項目を変更して前記データユニットを送信するよう要求する第四送信要求ステップと
を含み、
前記第四送信要求ステップは、前記取得ステップにおいて取得した診断結果が異常の予兆があることを示す場合、前記データユニットの送信側に対して、含まれる前記運転データの項目を変更して前記データユニットを送信するよう要求することをコンピューターに実行させることを特徴とする収集プログラム。
【請求項１１】
プラントの運転状態を示す運転データと前記運転データの真正性を保証する保証値とを含むデータユニットを受信する受信部と、
前記保証値に基づいて、前記データユニットの真正性を検査する第一検査部と、
前記第一検査部の検査結果が真正性を否定する場合、前記データユニットの送信側に対して前記データユニットの再送信を要求する第一送信要求部と、
前記データユニットを使用した前記プラントの異常の予兆の診断処理の診断結果を取得する取得部と、
前記データユニットの送信側に対して、前記受信部における受信間隔が変更されるように前記データユニットを送信するよう要求する第三送信要求部と
を有し、
前記第三送信要求部は、前記取得部で取得した診断結果が異常の予兆があることを示す場合、前記データユニットの送信側に対して、前記受信部における受信間隔が変更されるように前記データユニットを送信するよう要求する収集装置と、
前記データユニットを前記収集装置に送信する送信部を有する送信装置と、
を備えることを特徴とする収集システム。
【請求項１２】
プラントの運転状態を示す運転データと前記運転データの真正性を保証する保証値とを含むデータユニットを受信する受信部と、
前記保証値に基づいて、前記データユニットの真正性を検査する第一検査部と、
前記第一検査部の検査結果が真正性を否定する場合、前記データユニットの送信側に対して前記データユニットの再送信を要求する第一送信要求部と、
前記データユニットを使用した前記プラントの異常の予兆の診断処理の診断結果を取得する取得部と、
含まれる前記運転データの項目を変更して前記データユニットを送信するよう要求する第四送信要求部と
を有し、
前記第四送信要求部は、前記取得部で取得した診断結果が異常の予兆があることを示す場合、前記データユニットの送信側に対して、含まれる前記運転データの項目を変更して前記データユニットを送信するよう要求する収集装置と、
前記データユニットを前記収集装置に送信する送信部を有する送信装置と、
を備えることを特徴とする収集システム。